(57)【要約】【課題】  この発明は、常時録画中に入力信号の切り換えが行われた場合に、それまでの常時録画内容をタイトル化して保存させることができる記録再生装置を提供することを目的とする。【解決手段】  ＤＶＤレコーダ、ＨＤＤレコーダ等の記録再生装置において、常時録画中に、入力信号を切り換えるための操作が行われたときに、その操作に応じた入力信号の切り換え処理を行うとともに、それまでの常時録画内容をタイトル化させる手段を備えている。【選択図】  図１
2005071439.tif 000002
【特許請求の範囲】
【請求項１】
常時録画中に、入力信号を切り換えるための操作が行われたときに、その操作に応じた入力信号の切り換え処理を行うとともに、それまでの常時録画内容をタイトル化させる手段を備えていることを特徴とする記録再生装置。
【発明の詳細な説明】
【技術分野】
【０００１】
この発明は、ＨＤＤレコーダ、ＤＶＤレコーダ等の記録再生装置に関する。
【背景技術】
【０００２】
ＨＤＤレコーダ、ＤＶＤレコーダ等の記録再生装置として、常時録画機能を備えているものがある。この種の記録再生装置としては、常時録画中に入力信号を切り換えるための操作（つまり、入力切換え操作またはチューナからの入力信号が選択されている場合の当該チューナに対するチャンネル切換え操作）が行われた場合に、入力信号を切り換えるための処理が実行されるものと、実行されないものとがある。
【０００３】
常時録画中に入力信号を切り換えるための操作が行われた場合に、入力信号を切り換えるための処理が実行される記録再生装置には、入力信号が切り換えられても、常時録画の記録開始から記録終了までを１つのタイトルとして保存するものや、入力信号の切り換えが行われたときにそれまでの常時記録の内容を破棄してしまうものがある。
【０００４】
しかしながら、この種の記録再生装置において、常時録画中に入力信号の切り換えが行われた場合に、それまでの常時録画内容をタイトル化して保存させるものはなかった。
【０００５】
したがって、異なる内容を漏れなく別々のタイトルとして保存させたい場合には、通常の録画機能を用いて、録画開始操作および録画停止操作を繰り返すか、タイマー予約録画機能を利用して録画予約設定をしておくことが必要となり、操作が面倒である。
【０００６】
また、常時録画中に入力信号の切り換えを行えるが、常時録画の記録開始から記録終了までを１つのタイトルとして保存するものでは、１つのタイトル中に異なる内容が混在するため、管理する上で、タイトル名やチャンネル等の情報があいまいになったり、再生する上で見たい部分を探し出すのに時間がかかったりする。
【発明の開示】
【発明が解決しようとする課題】
【０００７】
この発明は、常時録画中に入力信号の切り換えが行われた場合に、それまでの常時録画内容をタイトル化して保存させることができる記録再生装置を提供することを目的とする。
【課題を解決するための手段】
【０００８】
請求項１に記載の発明は、常時録画中に、入力信号を切り換えるための操作が行われたときに、その操作に応じた入力信号の切り換え処理を行うとともに、それまでの常時録画内容をタイトル化させる手段を備えていることを特徴とする記録再生装置。
【発明の効果】
【０００９】
この発明によれば、常時録画中に入力信号の切り換えが行われた場合に、それまでの常時録画内容をタイトル化して保存させることができるようになる。
【発明を実施するための最良の形態】
【００１０】
以下、図面を参照して、この発明の実施例について説明する。
【実施例１】
【００１１】
図１は、記録再生装置の概略的な構成を示している。
【００１２】
記録再生装置は、アンテナ１、チューナ２、第１の外部入力端子３、第２の外部入力端子４、入力切換部５、ビデオデコーダ・オーディオＡ／Ｄ部６、ＭＰＥＧエンコーダ７、制御部８、大容量記憶媒体９、メモリ１０、操作部１１、ＭＰＥＧデコーダ１２、ビデオエンコーダ・オーディオＤ／Ａ部１３および出力端子１４を備えている。
【００１３】
第１の外部入力端子３および第２の外部入力端子４には、ＢＳ／ＣＳチューナ、ＤＶＤプレーヤ、デジタルビデオカメラ等の外部機器が接続される。大容量記憶媒体９としては、ハードディスク（ＨＤＤ）、ＤＶＤ等が用いられる。
【００１４】
記録時においては、入力切換部５において、チューナ２によって選局されたテレビジョン信号または外部入力端子３、４からの入力信号のいずれかが選択される。入力切換部５で選択されたアナログ信号は、ビデオデコーダ・オーディオＡ／Ｄ部６でデジタル化され、ＭＰＥＧエンコーダ７でエンコードされた後、大容量記憶媒体９に映像・音声タイトルとして保存される。
【００１５】
再生時においては、大容量記憶媒体９に保存されている映像・音声タイトルが、ＭＰＥＧデコーダ１２でデコードされ、ビデオエンコーダ・オーディオＤ／Ａ部１３でアナログ化された後、出力端子１４を介して外部の表示機器（テレビジョン装置等）に出力される。
【００１６】
制御部８は、操作部１１からの指示に応じて、ＭＰＥＧエンコーダ７、ＭＰＥＧデコーダ１２、大容量記憶媒体９、メモリ１０等の制御を行う。
【００１７】
この記録再生装置は、常時録画機能を備えている。また、この記録再生装置は、常時録画中に、入力信号を切り換えるための操作（この例では、入力切換部５によって入力を切り換えるための操作およびチューナ２からの入力信号が入力切換部５によって選択されているときにおけるチャンネル切換操作）が行われた場合に、その操作に応じた入力信号切換え処理を実行させるとともに、それまでの常時録画内容をタイトル化して保存させる機能（自動タイトル化機能）を備えている。
【００１８】
図２および図３を参照して、自動タイトル化機能について説明する。図２は、常時録画および自動タイトル化の様子をタイムチャート的に表したものである。図３は、常時録画および自動タイトル化の様子を大容量記憶媒体９内の内容の変化として表したものである。
【００１９】
図２、３において、ポイントＰ１で常時録画が開始されたとする。この例では、常時録画の内容は、２ＣＨの番組である。
【００２０】
図２、３において、ポイントＰ２で、入力信号を切り換えるための操作（この例では、チャンネル切換操作）に基づく入力信号の切換えが１回だけ発生したとすると、ポイントＰ１からポイントＰ２までの常時録画内容がタイトル化される。この例では、２ＣＨの番組がタイトル１として保存される。なお、ポイントＰ２から入力信号切換後の番組（この例では４ＣＨの番組）に対する常時録画が開始されている。このように、この実施例では、常時録画において映像・音声を記録するエリア（常時録画エリア）は固定されておらず、自動タイトル化される毎に、常時録画エリアは変動する。
【００２１】
次に、ポイントＰ３からＰ４にかけて、入力信号を切り換えが頻繁に発生したとする。ここで頻繁とは、例えば、ある入力信号切換操作から次の入力信号切換操作までの間隔が１０秒以下といった一定の基準をもって判断される。
【００２２】
まず、ポイントＰ３において、ポイントＰ２からポイントＰ３までの常時録画内容がタイトル化される。この例では、４ＣＨの番組がタイトル２として保存される。ポイントＰ３からＰ４までの部分（ある入力信号切換操作から次の入力信号切換操作までの間隔が１０秒以下である部分）は、この実施例では、タイトル化されることなく破棄される。この間においては、常時録画される個々の内容が１０秒以下であり、一般的には、保存する必要がないと考えられるからである。ポイントＰ４から入力信号切換後の番組（この例では第１の外部入力端子３から入力される外部入力１）に対する常時録画が開始されている。      
【００２３】
なお、保存するか否かの判断を使用者に委ねるという考えに基づき、ポイントＰ３からポイントＰ４までの間の個々の細かいブロックを別々にタイトル化するようにしてもよいし、ポイントＰ３からポイントＰ４までの部分をまとめてタイトル化するようにしてもよい。
【００２４】
ポイントＰ５において、録画停止指令によって、常時録画が終了したとすると、ポイントＰ５において、ポイントＰ４からポイントＰ５までの常時録画内容がタイトル化される。この例では、外部入力１がタイトル３として保存される。
【００２５】
図４は、自動タイトル化のための処理手順を示している。
【００２６】
常時録画中において（ステップ１でＹＥＳ）、入力信号を切り換えるための操作が行われると（ステップ２でＹＥＳ）、その入力信号切換操作に応じた入力信号切換処理を行う（ステップ３）。また、前回の入力切換から所定時間Ｔｓ以上経過しているか否かを判別する（ステップ４）。所定時間Ｔｓとしては、例えば１０秒が設定される。
【００２７】
前回の入力切換から所定時間Ｔｓ以上経過していない場合には（ステップ４でＮＯ）、それまでの常時録画内容を破棄するとともに（ステップ５）、ステップ１に戻る。
【００２８】
上記ステップ４において、前回の入力切換から所定時間Ｔｓ以上経過している場合には、それまでの常時録画内容をタイトル化するとともに（ステップ６）、ステップ１に戻る。
【図面の簡単な説明】
【００２９】
【図１】記録再生装置の概略的な構成を示すブロック図である。
【図２】常時録画および自動タイトル化の様子をタイムチャート的に表した模式図である。
【図３】常時録画および自動タイトル化の様子を大容量記憶媒体９内の内容の変化として表した模式図である。
【図４】自動タイトル化のための処理手順を示すフローチャートである。
【符号の説明】
【００３０】
１  アンテナ
２  チューナ
３  第１の外部入力端子
４  第２の外部入力端子
５  入力切換部
６  ビデオデコーダ・オーディオＡ／Ｄ部
７  ＭＰＥＧエンコーダ
８  制御部
９  大容量記憶媒体
１０  メモリ
１１  操作部
１２  ＭＰＥＧデコーダ
１３  ビデオエンコーダ・オーディオＤ／Ａ部
１４  出力端子
【図１】
2005071439.tif 000003
【図２】
2005071439.tif 000004
【図３】
2005071439.tif 000005
【図４】
2005071439.tif 000006